【手続補正書】
【提出日】平成30年9月27日(2018.9.27)
【手続補正１】
【補正対象書類名】特許請求の範囲
【補正対象項目名】全文
【補正方法】変更
【補正の内容】
【特許請求の範囲】
【請求項１】
複数の試薬を手動で操作するための検査室分析器（１００）であって、
複数の方法ステップを含むピペット操作処理のワークフローをオペレータに表示するためのディスプレイ（１０４）を備える計算装置（１０２）と、
計算装置（１０２）に接続される、試薬をピペット操作するためのピペット（１０６）と、
前記ピペット（１０６）によってピペット操作される試薬を含む複数の試薬容器（１２０、１２２、１２４、１２６、１２８）を受容するための複数の区画（１１０、１１２、１１４、１１６、１１８）と、
前記計算装置（１０２）に接続されるカメラ（１３０）であって、前記カメラ（１３０）が、前記オペレータが前記ワークフローに従ってピペット操作処理を手動で実行する間、少なくとも前記複数の区画（１１０、１１２、１１４、１１６、１１８）の視覚的分析からデータを取得するように構成され、前記計算装置（１０２）が、前記データを、前記ワークフローの前記複数の方法ステップと相互に関連する目標データと比較するように構成される、カメラと、
を備える検査室分析器（１００）。
【請求項２】
前記カメラ（１３０）が、前記ワークフローに従った所定の方法ステップにおいて、および／または所定の期間内で、前記視覚的分析より前記データを取得するように構成される、請求項１記載の検査室分析器（１００）。
【請求項３】
前記データが、前記ピペット（１０６）の位置を含み、前記目標データが、前記ピペット（１０６）の目標位置および／または前記試薬容器（１２０、１２２、１２４、１２６、１２８）の位置を含み、前記目標位置が、前記ワークフローの前記複数の方法ステップに相互に関連する、請求項１または２記載の検査室分析器（１００）。
【請求項４】
前記計算装置（１０２）が、前記データの、前記目標データからのずれを信号化するように構成される、請求項１〜３のいずれか１項に記載の検査室分析器（１００）。
【請求項５】
前記計算装置（１０２）が、前記データの、前記目標データからのずれを聴覚的および／または視覚的に信号化するように構成される、請求項１〜３のいずれか１項に検査室分析器（１００）。
【請求項６】
前記ピペット（１０６）が、前記ピペット操作処理のピペット操作データを取得するように構成され、前記計算装置（１０２）が、前記ピペット操作データを、前記ワークフローの前記複数の方法ステップと相互に関連する目標ピペット操作データと比較するように構成される、請求項１〜５のいずれか１項に記載の検査室分析器（１００）。
【請求項７】
前記ピペット（１０６）が、少なくとも、前記ピペット（１０６）内に吸引される、および／または前記ピペット（１０６）から分注される試薬の容量を含む、前記ピペット操作処理のピペット操作データを取得するように構成され、前記計算装置（１０２）が、前記ピペット操作データを、前記ワークフローの前記複数の方法ステップと相互に関連する目標ピペット操作データと比較するように構成される、請求項１〜５のいずれか１項に記載の検査室分析器（１００）。
【請求項８】
前記計算装置（１０２）が、前記ピペット操作データの、前記目標ピペット操作データからのずれを信号化するように構成される、請求項６または７記載の検査室分析器（１００）。
【請求項９】
前記計算装置（１０２）が、前記ピペット操作データの、前記目標ピペット操作データからのずれを聴覚的および／または視覚的に信号化するように構成される、請求項６または７記載の検査室分析器（１００）。
【請求項１０】
前記目標データが、前記ワークフローの前記複数の方法ステップのうちの各方法ステップと相互に関連し、前記カメラ（１３０）が、前記オペレータによって実行される前記ピペット操作処理の各方法ステップの前記データを取得するように構成され、前記計算装置（１０２）が、前記複数の方法ステップを、引き続く順番で表示するように構成され、前記計算装置（１０２）が、次の方法ステップに先んじる前の方法ステップの前記データが、前記相互に関連する目標データに対応する場合、前記引き続く順番における前記次の方法ステップを表示するように構成される、請求項１〜９のいずれか１項に記載の検査室分析器（１００）。
【請求項１１】
前記カメラ（１３０）によって取得される前記データが、少なくとも前記複数の区画（１１０、１１２、１１４、１１６、１１８）の画像を含む、請求項１〜１０のいずれか１項に記載の検査室分析器（１００）。
【請求項１２】
複数の試薬を手動操作するための検査室分析器（１００）を作動する方法であって、
複数の方法ステップを含むピペット操作処理のワークフローをオペレータに表示することと、
オペレータが前記ワークフローに従って手動でピペット操作処理を実行する間に、少なくとも複数の試薬容器（１２０、１２２、１２４、１２６、１２８）の視覚的分析からデータを取得し、前記データを、前記ワークフローの前記複数の方法ステップと相互に関連する目標データと比較することと、
を含む方法。
【請求項１３】
前記視覚的分析による前記データが、前記ワークフローに従った所定の方法ステップにおいて、および／または所定の期間内で取得される、請求項１２記載の方法。
【請求項１４】
前記データが、前記検査室分析器（１００）のピペット（１０６）の位置を含み、前記目標データが、前記ピペット（１０６）の目標位置および／または前記試薬容器（１２０、１２２、１２４、１２６、１２８）の位置を含み、前記目標位置が、前記ワークフローの前記複数の方法ステップと相互に関連する、請求項１２または１３記載の方法。
【請求項１５】
前記データの、前記目標データからのずれを信号化することをさらに含む、請求項１２〜１４のいずれか１項に記載の方法。
【請求項１６】
前記データの、前記目標データからのずれを聴覚的および／または視覚的に信号化することをさらに含む、請求項１２〜１４のいずれか１項に記載の方法。
【請求項１７】
前記ピペット操作処理のピペット操作データが取得され、前記ピペット操作データが、前記ワークフローの前記複数の方法ステップと相互に関連する目標ピペット操作データと比較される、請求項１２〜１６のいずれか１項に記載の方法。
【請求項１８】
少なくとも、前記ピペット内に吸引される、および／または前記ピペットから分注される試薬の容量を含む、前記ピペット操作処理のピペット操作データが取得され、前記ピペット操作データが、前記ワークフローの前記複数の方法ステップと相互に関連する目標ピペット操作データと比較される、請求項１２〜１６のいずれか１項に記載の方法。
【請求項１９】
前記ピペット操作データの、前記目標ピペット操作データからのずれを信号化することをさらに含む、請求項１７または１８記載の方法。
【請求項２０】
前記ピペット操作データの、前記目標ピペット操作データからのずれを聴覚的および／または視覚的に信号化することをさらに含む、請求項１７または１８記載の方法。
【請求項２１】
前記目標データが、前記ワークフローの前記複数の方法ステップのうちの各方法ステップと相互に関連し、前記オペレータによって実行される前記ピペット操作処理の各方法ステップの前記データが取得され、前記複数の方法ステップが、引き続く順番で表示され、次の方法ステップに先んじる前の方法ステップの前記データが、相互に関連する目標データに対応する場合、前記引き続く順番における前記次の方法ステップが表示される、請求項１２〜２０のいずれか１項に記載の方法。